(57)【要約】      （修正有）【課題】芝生をできるだけ傷つけず、簡易にディボットを修正できる工具を提供する。【解決手段】ディボット修正工具は、下部に筒状部分を有する本体１０と、筒状部分の内部を上下に可動する可動部材２０と、可動部材２０を上下させるハンドル５０と、一又は二本以上の爪部７１を有する複数のフォーク部７０と、それぞれのフォーク部７０と可動部材２０に連結され、可動部材２０が下死点のときにそれぞれのフォーク部７０が差し込み位置となり、可動部材２０が上死点のときにそれぞれのフォーク部７０が修正位置となるように爪部７１の先端をほぼ中心としてそれぞれのフォーク部７０を旋回させる複数のリンク機構６０とを備える。ディボットを囲むように複数の爪部７１を地面に差し込み、ハンドル５０によって可動部材２０を上昇させ、それぞれのフォーク部７０を一斉に修正位置とすることで、芝及び土を中央に寄せて凹みを修正する。【選択図】図２
0003165372.tif 000002
【実用新案登録請求の範囲】
【請求項１】
地面に差し込む一又は二本以上の爪部を有する複数のフォーク部と、
ディボットを囲むように前記複数の爪部を地面に差し込んだときに、前記爪部の先端をほぼ中心として、それぞれのフォーク部を一斉にディボットの中心方向に倒れ込むように旋回させる旋回手段と、
を備え、ディボットの周りの芝及び土を中央に寄せて凹みを修正することを特徴とするディボット修正工具。
【請求項２】
下部に筒状部分を有する本体と、
前記筒状部分の内部を上下に可動する可動部材と、
この可動部材を上下させる駆動手段と、
前記可動部材の下方に配置され、地面に差し込む一又は二本以上の爪部を有する複数のフォーク部と、
このそれぞれのフォーク部と前記可動部材に連結され、前記可動部材が下死点の位置にあるときに前記それぞれのフォーク部が差し込み位置となり、前記可動部材が上死点の位置にあるときに前記それぞれのフォーク部が修正位置となるように前記爪部の先端をほぼ中心として前記それぞれのフォーク部を旋回させる前記フォーク部と同数のリンク機構と、
を備え、前記それぞれのフォーク部を差し込み位置にした状態で、ディボットを囲むように前記複数の爪部を地面に差し込み、前記駆動手段によって前記可動部材を上昇させ、前記爪部の先端をほぼ中心としてそれぞれのフォーク部を一斉にディボットの中心方向に倒れ込ませ修正位置とすることで、ディボットの周りの芝及び土を中央に寄せて凹みを修正することを特徴とするディボット修正工具。
【請求項３】
請求項２において、
前記リンク機構は、一端が前記可動部材に連結された第１リンクと、
この第１リンクの他端に一端を連結されるとともに中間部を本体の支持軸に連結され、前記第一リンクの移動に伴って前記支持軸を支点として回動する第２リンクと、
一端が前記本体に連結された第３リンクとからなり、
前記フォーク部は、前記爪部とは反対側の他端が前記第２リンクの他端に連結されるとともに中間部が前記第３リンクの他端に連結されていることを特徴とするディボット修正工具。
【請求項４】
請求項３において、
前記第３リンクは、前記可動部材が下死点の位置にあるときに、前記第１リンク側から見て、前記他端側が前記一端側よりもより遠くに位置することを特徴とするディボット修正工具。
【請求項５】
請求項１〜４において、
前記フォーク部は、前記爪部が２本以上であり、それぞれの爪部と前記爪部とは反対側の他端との距離が異なっていることを特徴とするディボット修正工具。
【考案の詳細な説明】
【技術分野】
【０００１】
本考案は、ゴルフ場のグリーンに生じたディボット（凹み）を修正する工具に関するものである。
【背景技術】
【０００２】
ゴルフ場のコースで、遠方から山なりのボールがグリーン上に直接落下した場合、落下地点にはディボットと呼ばれる凹みができる（ボールマークあるいはピッチマークと呼ばれることもある）。ディボットは、本来ボールを打ったプレーヤが自らグリーンフォークと呼ばれる携帯用の道具を用いて修正するのがマナーである。しかし、プロが打ったボールのように強烈なバックスピンがかかっていれば、ほぼ落下地点にボールが止まるためプレーヤも自分が作ったディボットに容易に気づくことができるが、そうでない場合は、落下地点から遠い位置にボールが止まるため、プレーヤであってもディボットの位置がわからず、ディボットが修正されないままになってしまうことが少なくない。
【０００３】
このディボットは、ボールのコースを変化させ、そして何より見た目もよくない。すなわち、グリーンの品質を低下させる。このため、ゴルフ場の管理者は、毎日ディボットを修正しなければならないのである。通常、ゴルフ場の管理者はプレーヤが使用するグリーンフォークとほぼ同様の道具を用いて手作業でディボットを修正している。しかし、これは結構な重労働である。
【０００４】
そこで、グリーン上のディボットの修正を簡易に行えるよう、特許文献１記載の修正具が提案されている。この修正具は、ディボットを囲むように、複数本のピンを地中に差し込み、地面付近を中心として各ピンの先端がディボットの中心方向に移動するよう旋回させ、凹んだ部分の芝・土を上方に持ち上げて凹みを修正するものである。
【０００５】
しかし、本来ディボットを修正するには、図６に示すようにグリーンフォークをほぼ地面に対し垂直に差し込み、フォークの先端を中心にフォークの持ち手部分をディボットの中心方向に移動させなければならない。すなわち、ディボットの周りの芝生を中央に寄せるようにしなければならないのであって、特許文献１記載の修正具では、修正時に芝生の根を切ってしまい、芝生の生育状態を悪化させたり芝生を枯れさせたりしてしまっていた。
【先行技術文献】
【特許文献】
【０００６】
【特許文献１】実登３１１０５７７号公報
【考案の概要】
【考案が解決しようとする課題】
【０００７】
本考案は、このような事情に鑑みてなされたものであり、芝生をできるだけ傷つけず、簡易にディボットを修正できる工具を提供することを目的としている。
【課題を解決するための手段】
【０００８】
上記課題を解決するために、請求項１に係る考案では、ディボット修正工具が、地面に差し込む一又は二本以上の爪部を有する複数のフォーク部と、ディボットを囲むように複数の爪部を地面に差し込んだときに、爪部の先端をほぼ中心として、それぞれのフォーク部を一斉にディボットの中心方向に倒れ込むように旋回させる旋回手段と、を備え、ディボットの周りの芝及び土を中央に寄せて凹みを修正することを特徴としている。ここで、旋回手段とは、駆動源が手動又は足踏み等の人力であれば、それを工具に伝えるハンドルや足踏みペダル等、また、そのハンドルや足踏みペダルの運動を爪部の先端をほぼ中心としてフォーク部を回動させる運動に変換してフォーク部に伝える部材やリンク機構等を含むものであり、駆動源が電動の場合は、上記のハンドルや足踏みペダルの代わりにアクチュエータ等の駆動源および電源を含むものである。
【０００９】
また、請求項２に係る考案では、ディボット修正工具が、下部に筒状部分を有する本体と、筒状部分の内部を上下に可動する可動部材と、可動部材を上下させる駆動手段と、可動部材の下方に配置され、地面に差し込む一又は二本以上の爪部を有する複数のフォーク部と、それぞれのフォーク部と可動部材に連結され、可動部材が下死点の位置にあるときにそれぞれのフォーク部が差し込み位置となり、可動部材が上死点の位置にあるときにそれぞれのフォーク部が修正位置となるように爪部の先端をほぼ中心としてそれぞれのフォーク部を旋回させるフォーク部と同数のリンク機構と、を備え、それぞれのフォーク部を差し込み位置にした状態で、ディボットを囲むように複数の爪部を地面に差し込み、駆動手段によって可動部材を上昇させ、爪部の先端をほぼ中心としてそれぞれのフォーク部を一斉にディボットの中心方向に倒れ込ませ修正位置とすることで、ディボットの周りの芝及び土を中央に寄せて凹みを修正することを特徴としている。ここで、駆動手段とは、駆動源が手動又は足踏み等の人力であれば、それを工具に伝えるハンドルや足踏みペダル等、また、そのハンドルや足踏みペダルの運動を可動部材に伝える手段を含むものであり、駆動源が電動の場合は、上記のハンドルや足踏みペダルの代わりにアクチュエータ等の駆動源および電源を含むものである。
【００１０】
また、請求項３に係る考案では、請求項２のディボット修正工具において、リンク機構は、一端が可動部材に連結された第１リンクと、第１リンクの他端に一端を連結されるとともに中間部を本体の支持軸に連結され、第一リンクの移動に伴って支持軸を支点として回動する第２リンクと、一端が本体に連結された第３リンクとからなり、フォーク部は、爪部とは反対側の他端が第２リンクの他端に連結されるとともに中間部が第３リンクの他端に連結されていることを特徴としている。
【００１１】
また、請求項４に係る考案では、請求項３のディボット修正工具において、第３リンクは、可動部材が下死点の位置にあるときに、第１リンク側から見て、他端側が一端側よりもより遠くに位置することを特徴としている。
【００１２】
また、請求項５に係る考案では、請求項１〜４のディボット修正工具において、フォーク部は、爪部が２本以上であり、それぞれの爪部と爪部とは反対側の他端との距離が異なっていることを特徴としている。
【考案の効果】
【００１３】
本考案に係るディボット修正工具によれば、ディボットを囲むように地面に差し込んだ複数の爪部の先端をほぼ中心として、それぞれのフォーク部を一斉にディボットの中心方向に倒れ込むように旋回させるため、芝生をできるだけ傷つけず、簡易にディボットを修正することができる。
【００１４】
また、本考案に係るディボット修正工具によれば、リンク機構を設け、本体内部の可動部材を駆動手段によって上下させることで、フォーク部を旋回させる。このため、駆動源を手動はもちろん、足踏みや電動とすることもできる。
【００１５】
また、本考案に係るディボット修正工具のリンク機構は、リンクを３つ用いるのみで可動部材の直線運動を爪部の先端をほぼ中心とした円の円周上を往復する運動に変換することができ、小型軽量化に貢献している。
【００１６】
また、本考案に係るディボット修正工具のリンク機構は、可動部材が下死点の位置にあるときに、第１リンク側から見て、第３リンクの他端側が一端側よりもより遠くに位置している。これにより、フォーク部が差し込み位置にあるときには、駆動手段によって可動部材を上昇させない限り、たとえ爪部に力がかかっても動かない。つまり、爪部を地面に差し込むときにフォーク部が旋回することを防止することができる。
【００１７】
また、本考案に係るディボット修正工具のフォーク部は、爪部が２本以上であり、地面に差し込んだ時にそれぞれの爪部は、ディボットの中心からの距離が異なっている。これにより、より効率よく芝生及び土をディボットの中央に寄せることができる。
【図面の簡単な説明】
【００１８】
【図１】ディボット修正工具の実施例１を示した正面図である。
【図２】実施例１のリンク機構周りの正面詳細図である（差し込み時）。
【図３】実施例１のフォーク部周りの底面図である（差し込み時）。
【図４】実施例１のリンク機構周りの正面詳細図である（修正時）。
【図５】フォーク部の変形例を示した正面図及び側面図である（実施例２〜４）。
【図６】手作業でディボットを修正する方法を説明するための図である。
【考案を実施するための形態】
【００１９】
以下、本考案であるディボット修正工具を具体化した実施例について図面を参照しつつ説明する。
【実施例１】
【００２０】
まず、実施例１のディボット修正工具１の構成について、主に図２を参照して説明する。ディボット修正工具１は本体１０、可動部材２０、コイルばね３０、アーム部材４０、ハンドル５０、４つのリンク機構６０，６０，６０，６０、４つのフォーク部７０，７０，７０，７０で構成される。
【００２１】
本体１０は、適宜な長さを有し、円筒状で、下部側面にアーム部材４０を連結させる羽根状の板部１１が形成されている。また、羽根状の板部１１の近傍にアーム部材４０の先端部分を挿入させるとともに上下動させるための長穴があいている。また、下部側面にはリンク機構を連結させる羽根状の板部１３，１３，１３，１３が放射状に４枚形成されている。さらに、この４枚の羽根状の板部１３，１３，１３，１３の下部には円盤状のストッパ部１４が形成されている。ストッパ部１４は、フォーク部７０，７０，７０，７０を地面に突き刺したときに、ストッパ部１４の下面が地面に当たって、そこで止まる役割を果たす。ストッパ部１４には、下面に４つの爪１４１，１４１，１４１，１４１，が形成され、これが芝生に突き刺さりディボット修正工具１の位置がずれないようにしている。また、中央には円形の穴があいており、ストッパ部１４とフォーク部７０，７０，７０，７０が干渉しないようになっている。また、この穴は修正するディボットが見えやすいという役目も果たしている。
【００２２】
可動部材２０は、円柱形状で側方からアーム部材４０の先端部分を挿入させる長穴があいている。また、下部には第１リンク部の一端を連結するための舌状の突起が４つ形成されている。可動部材２０は、本体１０の内部を上下する。
【００２３】
コイルばね３０は、可動部材２０を下方向へ付勢している。すなわち、外部から力を加えないときには、可動部材２０は下方に押しつけられている。この可動部材２０が下死点に位置するとき、フォーク部７０は差し込み位置になっている。
【００２４】
アーム部材４０は、板状で外縁が「くの字」状に形成されている。また、先端が円形になっており可動部材２０の長穴にちょうど収まるようになっている。そして、中間部が本体１０の羽根状の板部１１に回動可能に連結され、後端には、ハンドル５０が固定されている。また、アーム部材４０の後端には、本体１０に固定された規制手段１５が連結され、回動範囲を規制されている。
【００２５】
ハンドル５０を手動で本体に近い位置から離れる方向に移動させると、アーム部材４０が回転し、これにより可動部材２０が上昇する。そして、可動部材２０が上死点に位置するとき、フォーク部７０は、修正位置になる。なお、本実施例では、可動部材を上下させる駆動手段としてハンドル５０とアーム部材４０を用いたが、駆動源を足踏みとした場合は、足踏みペダルとこのペダルの運動を可動部材に伝える手段とすることもでき、また、駆動源を電動とした場合は、アクチュエータと電源とすることもできる。
【００２６】
リンク機構６０は、第１リンク６１と、第２リンク６２と、第３リンク６３とから構成される。第１リンク６１は、板状で一端が可動部材２０に回動可能に連結されている。第２リンク６２は、板状で外縁がコの字状に形成され、一端が第１リンク６１の他端に回動可能に連結され、中間部が本体１０の羽根状の板部１３の支持軸に回動可能に連結されている。第３リンクは、板状で一端が本体１０の羽根状の板部１３に回動可能に連結されている。また、第３リンク６３は、可動部材２０が下死点の位置にあるときに、第１リンク６１側から見て、下端側が上端側よりも遠くに位置している。
【００２７】
フォーク部７０は、板状でＬ字状に形成されるとともに一方に地面に差し込む爪部７１が２本形成され、他方にリンク機構６０に連結される部分が立設されている。この立設された部分には、爪部７１から遠い位置に第２リンク６２の他端が回動可能に連結され、爪部７１に近い位置に第３リンク６３の他端が回動可能に連結されている。２本の爪部７１は、地面に差し込みやすいよう先が細くなっており、それぞれの爪部７１は、図３に示すようにフォーク部７０の爪部７１とは反対側の他端からの距離が異なっている。
【００２８】
可動部材２０が下死点の位置にあるときには、第１〜第３リンク６１，６２，６３の状態は図２に示した通りであり、このときフォーク部７０は、差し込み位置、すなわち爪部７１が地面に対して垂直な位置になっている。そして、この状態では第３リンク６３がフォーク部７０の動きを規制しているため、ハンドル５０を本体１０から離す方向へ移動させない限りフォーク部７０は動かない。そして、ハンドル５０を本体１０から離す方向へ移動させると、可動部材２０が上昇し、フォーク部７０は、爪部７１の先端付近を中心として第１リンク６１側に倒れ込むように旋回する。可動部材２０が上死点の位置になったときの第１〜第３リンク６１，６２，６３の状態を示したのが図４である。
【００２９】
つぎに、ディボット修正工具１の使用方法を説明する。まず、爪部７１を地面から離した状態で、本体１０を地面に垂直に立て、爪部７１がディボットを囲む位置に移動させる。そして、ストッパ１４によって止まるまで爪部７１を地面に差し込む。次に、ハンドル５０を本体から離れる方向に移動させる。そうすると、フォーク部７０が爪部７１の先端をほぼ中心にディボットの中心方向に倒れ込むように旋回し、ディボットの周りの芝生及び土を中央に寄せる。これにより一回の作業で、ディボットを修正することができる。
【実施例２】
【００３０】
実施例２〜４のディボット修正工具は、実施例１のディボット修正工具１のフォーク部７０のみを変形したものである。このため、フォーク部についてのみ説明する。なお、同様の構成についてはディボット修正工具１と同一の符号を付している。
【００３１】
図５（ａ）に示すとおり、実施例２のフォーク部７２は、実施例１のフォーク部７０とほぼ同様の構成であるが、爪部７３が１本となっている。
【実施例３】
【００３２】
図５（ｂ）に示すとおり、実施例３のフォーク部７４は、実施例１のフォーク部７０とほぼ同様の構成であるが、フォーク部７４の爪部７５とは反対側の他端から爪部７５までの距離が同一となっている。
【実施例４】
【００３３】
図５（ｃ）に示すとおり、実施例４のフォーク部７６は、実施例１のフォーク部７０とは違い、爪部７７が板状で逆Ｕの字状に形成され、上部にリンク機構６０に連結される部分が立設されている。また、爪部７７は、面の部分ではなく、板厚の部分で芝生及び土を移動させる。このように、爪部は芝生を押す部分が細いほど芝生を傷めない。ただし、芝生を移動させる量が少ないため、一度の操作では修正が完了せず、二度以上の操作が必要な場合がある。このため、実施例４のフォーク部７６を用いる場合は、５〜８つのフォーク部７６とリンク機構６０を用いる構成とするのがよい。
【００３４】
実施例２〜４のディボット修正工具の使用方法は、ディボット修正工具１の使用方法と同じであり、芝生の状態に応じ使い分けるものである。  
【符号の説明】
【００３５】
１：ディボットの修正工具１（実施例１）
１０：本体、  １１：羽根状の板部、  １３：羽根状の板部、１４：ストッパ、
２０：可動部材、  ３０：コイルばね、  ４０：アーム部材、  ５０：ハンドル
６０：リンク機構、  ６１：第１リンク、  ６２：第２リンク、  ６３：第３リンク
７０：フォーク部、  ７１：爪部、  ７２：フォーク部、  ７３：爪部
７４：フォーク部、  ７５：爪部、  ７６：フォーク部、  ７７：爪部
【図１】
0003165372.tif 000003
【図２】
0003165372.tif 000004
【図３】
0003165372.tif 000005
【図４】
0003165372.tif 000006
【図５】
0003165372.tif 000007
【図６】
0003165372.tif 000008
【手続補正書】
【提出日】平成22年11月8日(2010.11.8)
【手続補正１】
【補正対象書類名】実用新案登録請求の範囲
【補正対象項目名】全文
【補正方法】変更
【補正の内容】
【実用新案登録請求の範囲】
【請求項１】
下部に筒状部分を有する本体と、
前記筒状部分の内部を上下に可動する可動部材と、
この可動部材を上下させる駆動手段と、
前記可動部材の下方に配置され、地面に差し込む一又は二本以上の爪部を有する複数のフォーク部と、
このそれぞれのフォーク部と前記可動部材に連結され、前記可動部材が下死点の位置にあるときに前記それぞれのフォーク部が差し込み位置となり、前記可動部材が上死点の位置にあるときに前記それぞれのフォーク部が修正位置となるように前記爪部の先端をほぼ中心として前記それぞれのフォーク部を旋回させる前記フォーク部と同数のリンク機構と、
を備え、前記それぞれのフォーク部を差し込み位置にした状態で、ディボットを囲むように前記複数の爪部を地面に差し込み、前記駆動手段によって前記可動部材を上昇させ、前記爪部の先端をほぼ中心としてそれぞれのフォーク部を一斉にディボットの中心方向に倒れ込ませ修正位置とすることで、ディボットの周りの芝及び土を中央に寄せて凹みを修正することを特徴とするディボット修正工具。
【請求項２】
請求項１に記載のディボット修正工具において、
前記リンク機構は、一端が前記可動部材に連結された第１リンクと、
この第１リンクの他端に一端を連結されるとともに中間部を本体の支持軸に連結され、前記第一リンクの移動に伴って前記支持軸を支点として回動する第２リンクと、
一端が前記本体に連結された第３リンクとからなり、
前記フォーク部は、前記爪部とは反対側の他端が前記第２リンクの他端に連結されるとともに中間部が前記第３リンクの他端に連結されていることを特徴とするディボット修正工具。
【請求項３】
請求項２に記載のディボット修正工具において、
前記第３リンクは、前記可動部材が下死点の位置にあるときに、前記第１リンク側から見て、前記他端側が前記一端側よりもより遠くに位置することを特徴とするディボット修正工具。
【請求項４】
請求項１〜３のいずれかに記載のディボット修正工具において、
前記フォーク部は、前記爪部が２本以上であり、それぞれの爪部と前記爪部とは反対側の他端との距離が異なっていることを特徴とするディボット修正工具。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項１に係る考案では、ディボット修正工具が、下部に筒状部分を有する本体と、筒状部分の内部を上下に可動する可動部材と、可動部材を上下させる駆動手段と、可動部材の下方に配置され、地面に差し込む一又は二本以上の爪部を有する複数のフォーク部と、それぞれのフォーク部と可動部材に連結され、可動部材が下死点の位置にあるときにそれぞれのフォーク部が差し込み位置となり、可動部材が上死点の位置にあるときにそれぞれのフォーク部が修正位置となるように爪部の先端をほぼ中心としてそれぞれのフォーク部を旋回させるフォーク部と同数のリンク機構と、を備え、それぞれのフォーク部を差し込み位置にした状態で、ディボットを囲むように複数の爪部を地面に差し込み、駆動手段によって可動部材を上昇させ、爪部の先端をほぼ中心としてそれぞれのフォーク部を一斉にディボットの中心方向に倒れ込ませ修正位置とすることで、ディボットの周りの芝及び土を中央に寄せて凹みを修正することを特徴としている。ここで、駆動手段とは、駆動源が手動又は足踏み等の人力であれば、それを工具に伝えるハンドルや足踏みペダル等、また、そのハンドルや足踏みペダルの運動を可動部材に伝える手段を含むものであり、駆動源が電動の場合は、上記のハンドルや足踏みペダルの代わりにアクチュエータ等の駆動源および電源を含むものである。
【手続補正４】
【補正対象書類名】明細書
【補正対象項目名】００１０
【補正方法】変更
【補正の内容】
【００１０】
また、請求項２に係る考案では、請求項１に記載のディボット修正工具において、リンク機構は、一端が可動部材に連結された第１リンクと、第１リンクの他端に一端を連結されるとともに中間部を本体の支持軸に連結され、第一リンクの移動に伴って支持軸を支点として回動する第２リンクと、一端が本体に連結された第３リンクとからなり、フォーク部は、爪部とは反対側の他端が第２リンクの他端に連結されるとともに中間部が第３リンクの他端に連結されていることを特徴としている。
【手続補正５】
【補正対象書類名】明細書
【補正対象項目名】００１１
【補正方法】変更
【補正の内容】
【００１１】
また、請求項３に係る考案では、請求項２に記載のディボット修正工具において、第３リンクは、可動部材が下死点の位置にあるときに、第１リンク側から見て、他端側が一端側よりもより遠くに位置することを特徴としている。
【手続補正６】
【補正対象書類名】明細書
【補正対象項目名】００１２
【補正方法】変更
【補正の内容】
【００１２】
また、請求項４に係る考案では、請求項１〜３のいずれかに記載のディボット修正工具において、フォーク部は、爪部が２本以上であり、それぞれの爪部と爪部とは反対側の他端との距離が異なっていることを特徴としている。